(57)【特許請求の範囲】
【請求項１】
組成物を担持する流体ジェットカートリッジを整備するためのカートリッジ整備ケースであって、
前記流体ジェットカートリッジを受容するようにサイズ決定されたポケットを有するケース本体と、
前記ケース本体に対して移動可能である移動可能カートリッジ整備部材であって、前記移動可能カートリッジ整備部材によって担持されるワイピング要素及びキャッピング要素のうちの少なくとも１つを備える、移動可能カートリッジ整備部材と、を備え、
前記ポケットは、前記ポケットによって受容される前記流体ジェットカートリッジのノズルを、前記ワイピング要素及びキャッピング要素のうちの前記少なくとも１つを使用する整備動作のために前記移動可能カートリッジ整備部材に露出させるように配列及び構成されており、前記移動可能カートリッジ整備部材は前記整備ケースの側壁に沿って側方向に回転するように構成されている、カートリッジ整備ケース。
【請求項２】
前記移動可能カートリッジ整備部材は、前記ケース本体に移動可能に接続されている、請求項１に記載のカートリッジ整備ケース。
【請求項３】
前記移動可能カートリッジ整備部材は、前記ポケット内での前記流体ジェットカートリッジの位置付けを可能にする開放構成と、前記ポケットからの前記流体ジェットカートリッジの取り外しを防ぐ閉鎖構成とを有する、請求項２に記載のカートリッジ整備ケース。
【請求項４】
前記ワイピング要素及びキャッピング要素のうちの前記少なくとも１つが前記移動可能カートリッジ整備部材上に位置することにより、前記移動可能カートリッジ整備部材を前記開放構成から前記閉鎖構成まで移動させることで、前記ワイピング要素及びキャッピング要素のうちの前記少なくとも１つを使用する前記流体ジェットカートリッジの前記ノズル上での前記整備動作を開始させる、請求項３に記載のカートリッジ整備ケース。
【請求項５】
前記移動可能カートリッジ整備部材は、前記ワイピング要素及び前記キャッピング要素の両方を備える、請求項１〜４のいずれか一項に記載のカートリッジ整備ケース。
【請求項６】
前記ワイピング要素及び前記キャッピング要素が前記移動可能カートリッジ整備部材上に位置することにより、前記移動可能カートリッジ整備部材を開放構成から閉鎖構成まで移動させることで、前記ワイピング要素及びキャッピング要素のうちの前記少なくとも１つを使用する前記流体ジェットカートリッジの前記ノズル上での前記整備動作を開始させ、前記開放構成は、前記ポケット内での前記流体ジェットカートリッジの位置付けを可能し、前記閉鎖構成は、前記ポケットからの前記流体ジェットカートリッジの取り外しを防ぐ、請求項５に記載のカートリッジ整備ケース。
【請求項７】
前記キャッピング要素は、前記閉鎖構成で、前記流体ジェットカートリッジの前記ノズルを前記移動可能カートリッジ整備部材で覆うキャップを備える、請求項６に記載のカートリッジ整備ケース。
【請求項８】
組成物を担持する流体ジェットカートリッジを整備するためのカートリッジ整備ケースであって、
前記流体ジェットカートリッジを受容するようにサイズ決定されたポケットを有するケース本体と、
前記ケース本体に対して移動可能である移動可能カートリッジ整備部材であって、前記移動可能カートリッジ整備部材によって担持されるワイピング要素及びキャッピング要素のうちの少なくとも１つを備える、移動可能カートリッジ整備部材と、を備え、
前記移動可能カートリッジ整備部材は、前記流体ジェットカートリッジのノズルを前記
移動可能カートリッジ整備部材に露出させるような前記ポケット内での前記流体ジェットカートリッジの位置付けを可能にする開放構成と、前記ポケットからの前記流体ジェットカートリッジの取り外しを防ぐ閉鎖構成とを有し、前記移動可能カートリッジ整備部材は前記整備ケースの側壁に沿って側方向に回転するように構成されている、カートリッジ整備ケース。
【請求項９】
前記移動可能カートリッジ整備部材は、前記ケース本体に移動可能に接続されている、請求項８に記載のカートリッジ整備ケース。
【請求項１０】
前記ワイピング要素及びキャッピング要素のうちの前記少なくとも１つが前記移動可能カートリッジ整備部材上に位置することにより、前記移動可能カートリッジ整備部材を前記開放構成から前記閉鎖構成まで移動させることで、前記ワイピング要素及びキャッピング要素のうちの前記少なくとも１つを使用する前記流体ジェットカートリッジの前記ノズル上での整備動作を開始させる、請求項８又は９に記載のカートリッジ整備ケース。
【請求項１１】
前記移動可能カートリッジ整備部材は、前記ワイピング要素及び前記キャッピング要素の両方を備える、請求項８〜１０のいずれか一項に記載のカートリッジ整備ケース。
【請求項１２】
前記ワイピング要素及び前記キャッピング要素が前記移動可能カートリッジ整備部材上に位置することにより、前記移動可能カートリッジ整備部材を開放構成から閉鎖構成まで移動させることで、前記ワイピング要素及びキャッピング要素のうちの前記少なくとも１つを使用する前記流体ジェットカートリッジの前記ノズル上での整備動作を開始させ、前記開放構成は、前記ポケット内での前記流体ジェットカートリッジの位置付けを可能し、前記閉鎖構成は、前記ポケットからの前記流体ジェットカートリッジの取り外しを防ぐ、請求項８〜１１のいずれか一項に記載のカートリッジ整備ケース。
【請求項１３】
前記キャッピング要素は、前記閉鎖構成で、前記流体ジェットカートリッジの前記ノズルを前記移動可能カートリッジ整備部材で覆うキャップを備える、請求項８〜１２のいずれか一項に記載のカートリッジ整備ケース。
【発明の詳細な説明】
【技術分野】
【０００１】
本出願は、カートリッジ整備ケースに関し、より具体的には、流体ジェットカートリッジを洗浄及び格納するためのカートリッジ整備ケースに関する。
【背景技術】
【０００２】
インクジェットデバイス（圧電及び熱）は、個人の印刷と業務上の印刷との両方の目的に一般的である。ごく一般的に、そのようなデバイスは、高品質の印刷物及び写真を作る手段として、消費者の自宅にある。消費者用途では、消費者による労力は最低限で、信頼できる性能があることが強く必要性とされている。このため、全ての既存の消費者用印刷デバイスは、高品質の印刷を維持するための高度なプロセスを含む。消費者用インクジェット印刷デバイスが、数千の個別のノズル（各ノズルは、５〜２０ミクロンほどに小さい）を含有することは一般的である。加えて、そのようなデバイスのインクのほとんどは、揮発性であり、空気にさらされると、すぐに乾燥する傾向がある。小さく多数のノズル及び速い乾燥時間に起因して、数千ページの印刷の過程にわたり、また印刷の間隔が長期間にわたることがある場合に、全てのノズルが適切に作動するよう維持することは難しい。これらの要求に起因して、印刷ノズルが継続的に良好に動作する機構を考案する、多くの取り組みがプリンタ製造業者によって行われている。ほとんどの消費者は、全ての整備については知識がない。というのも、高品質の印刷を確実にするための整備は自動的に行われるためである。
【０００３】
固定式のインクジェット印刷デバイスのノズルを整備することが既知である一方、ハンドヘルド印刷デバイス用のインクジェットノズルを自動的に整備する方法を考慮する必要性は少ない。ハンドヘルド印刷デバイスは、一般的ではなく、製造中にボックスをラベル付けするといった、工業用業務で通常使用される。そのような場合、ノズルに必要な整備は手作業で行われる。これらのハンドヘルドプリンタは、毎回の使用後にインクジェットカートリッジを取り外し、手作業動、プリントヘッドを拭いてキャップする必要がある。これは、そのような工業用途に関して、許容範囲であり得る。しかしながら、ハンドヘルド印刷デバイスのための自動化された整備の解決策を考案する必要がなかった。
【発明の概要】
【課題を解決するための手段】
【０００４】
ある実施形態では、組成物を担持する流体ジェットカートリッジを整備するためのカートリッジ整備ケースは、流体ジェットカートリッジを受容するようにサイズ決定されたポケットを有するケース本体を含む。移動可能カートリッジ整備部材は、ケース本体に対して移動可能である。移動可能カートリッジ整備部材は、移動可能カートリッジ整備部材によって担持されるワイピング要素及びキャッピング要素のうちの少なくとも１つを含む。ポケットは、ポケットによって受容される流体ジェットカートリッジのノズルを、ワイピング要素及びキャッピング要素のうちの少なくとも１つを使用する整備動作のために移動可能カートリッジ整備部材に露出させるように配列及び構成される。
【０００５】
別の実施形態では、組成物を担持する流体ジェットカートリッジを整備するためのカートリッジ整備ケースは、流体ジェットカートリッジを受容するようにサイズ決定されたポケットを有するケース本体を含む。移動可能カートリッジ整備部材は、ケース本体に対して移動可能である。移動可能カートリッジ整備部材は、移動可能カートリッジ整備部材によって担持されるワイピング要素及びキャッピング要素のうちの少なくとも１つを含む。移動可能カートリッジ整備部材は、流体ジェットカートリッジのノズルを移動可能カートリッジ整備部材に露出させるようなポケット内でのカートリッジの位置付けを可能にする開放構成と、ポケットからの流体ジェットカートリッジの取り外しを防ぐ閉鎖構成とを有する。
【０００６】
別の実施形態では、カートリッジ整備ケースを使用して組成物を担持する流体ジェットカートリッジを整備する方法が提供される。本方法は、流体ジェットカートリッジを、流体ジェットカートリッジを受容するためにサイズ決定されたカートリッジ整備ケースのケース本体のポケット内に設置することを含む。移動可能カートリッジ整備部材は、開放構成から閉鎖構成に移動する。移動可能カートリッジ整備部材が開放構成から閉鎖構成に移動するにつれて、移動可能カートリッジ整備部材に露出された流体ジェットカートリッジのノズルは、移動可能カートリッジ整備部材によって担持されるワイピング要素で拭かれる。
【図面の簡単な説明】
【０００７】
本明細書は、本発明を具体的に指摘しかつ明確に特許請求する特許請求の範囲をもって結論とするが、以下の説明を以下の添付図面と併せることにより、同一の内容がより理解されると考えられる。
【図１】本明細書に記載された１つ以上の実施形態による、ロック解除構成のカートリッジ整備ケースの上面斜視図である。
【図２】本明細書に記載された１つ以上の実施形態による、動作を例示する図１のカートリッジ整備ケースの概略図である。
【図３】本明細書に記載された１つ以上の実施形態による、キャップされた構成の図１のカートリッジ整備ケースの概略図である。
【図４】本明細書に記載された１つ以上の実施形態による、ロック構成の図１のカートリッジ整備ケースの上面斜視図である。
【図５】本明細書に記載された１つ以上の実施形態による、図１のカートリッジ整備ケースを動作させる方法を示す図である。
【図６】本明細書に記載された１つ以上の実施形態による、ロック解除構成の別のカートリッジ整備ケースの上面図である。
【図７】ロック構成の図６のカートリッジ整備ケースである。
【図８】本明細書に記載された１つ以上の実施形態による、ロック解除構成の別のカートリッジ整備ケースの上面斜視図である。
【図９】ロック構成の図８のカートリッジ整備ケースである。
【図１０】本明細書に記載された１つ以上の実施形態による、ロック解除構成の別のカートリッジ整備ケースの斜視図である。
【図１１】ロック構成の図１０のカートリッジ整備ケースである。
【図１２】本明細書に記載された１つ以上の実施形態による、ロック解除構成の別のカートリッジ整備ケースの斜視図である。
【図１３】ロック構成の図１２のカートリッジ整備ケースである。
【図１４】本明細書に記載された１つ以上の実施形態による、ロック解除構成の別のカートリッジ整備ケースの上面斜視図である。
【図１５】ロック構成の図１４のカートリッジ整備ケースである。
【図１６】本明細書に記載された１つ以上の実施形態による、ロック解除構成の別のカートリッジ整備ケースの上面斜視図である。
【発明を実施するための形態】
【０００８】
本明細書に記載する実施形態は、以下の発明を実施するための形態を参照することによって、より容易に理解することが可能である。特許請求の範囲は、本明細書に記載する具体的な組成物、方法、条件、デバイス、又はパラメータに限定されず、本明細書で使用する用語は、限定することを意図するものではないということを理解すべきである。また、添付の特許請求の範囲を含む本明細書で使用される場合、単数形「ａ」、「ａｎ」、及び「ｔｈｅ」は、複数形を含み、特定の数値への言及は、内容が別途明確に指示しない限り、少なくともその特定の値を含む。ある値の範囲が表現される場合、別の実施形態は、一方の特定の値から、かつ／又はもう一方の特定の値までを含む。同様に、ある値が、先行詞「約」の使用により近似値として表現される場合、その特定の値が別の実施形態をなすものと理解される。全ての範囲は、包括的かつ組み合わせ可能である。
【０００９】
本開示は、概して、ハンドヘルドデバイス内で使用される組成物を担持する流体ジェットカートリッジを洗浄及び格納するためのカートリッジ整備ケースに関する。カートリッジ整備ケースは、ハンドヘルドデバイスとは別個であり、流体ジェットカートリッジのノズルを洗浄すること、及び例えば、ノズルをキャップすることによって流体ジェットカートリッジを格納することが可能である独立型デバイスである。カートリッジ整備ケースは、ポケット内に流体ジェットカートリッジを受容するケース本体と、ケース本体に対して移動する移動可能カートリッジ整備部材とを含んでもよい。移動可能カートリッジ整備部材は、流体ジェットカートリッジのノズルを洗浄するためのワイピング要素、及び格納のためにノズルをキャップするために使用できるキャッピング要素の一方又は両方を含んでもよい。
【００１０】
図１及び図２を参照すると、例示的カートリッジ整備ケース１０は、ポケット１４内に流体ジェットカートリッジ１６を受容するようにサイズ決定及び配列されるポケット１４を有するケース本体１２を含む。ポケット１４が流体ジェットカートリッジ１６を受容するように成形されてもよく、それにより、ノズル１８（図２）のアレイが、移動可能カートリッジ整備部材２０に対して露出されるようになる。いくつかの実施形態では、ポケット１４は、ポケット１４内の流体ジェットカートリッジ１６を所望の向きにすることを容易にする整列特徴部を有してもよい。移動可能カートリッジ整備部材２０は、ケース本体１２に移動可能に取り付けられてもよく、ワイピング要素２２及びキャッピング要素２４を含む（図２）。ワイピング要素２２及びキャッピング要素２４は、移動可能カートリッジ整備部材２０の内面２６上に位置し、ノズル１８のアレイに対面してもよい。移動可能カートリッジ整備部材２０の内面２６は、環境への露出を制限してもよい（例えば、ほこり、日光、及び他の環境要素への露出を制限するためにカートリッジ整備ケース１０内部に位置してもよい）。
【００１１】
矢印３０によって表されるように、移動可能カートリッジ整備部材２０に力がかり、移動可能カートリッジ整備部材２０を移動させ、整備動作を開始させてもよい。例示された例では、ロック解除開放構成（図１）からロック洗浄構成（図４によって示される）に移動可能カートリッジ整備部材２０を移動（例えば、回転）させるために、力３０をかけてもよい。ロック解除開放構成では、カートリッジ１６は、ポケット１４内部に設置されることができ、ポケット１４から容易に取り外されることができる。ロック洗浄構成では、移動可能カートリッジ整備部材２０は、ポケット１４上にわたって延在する又はそれに覆いかぶさるアクセス制御部３２を含み、ポケット１４からのカートリッジ１６の取り外しを抑制することができる。下記に詳細に説明されるように、アクセス制御部３２はまた、キャップされた構成において、ポケット１４内部でカートリッジ１６を維持することができる。
【００１２】
図２を再度、また図３も参照すると、カートリッジ整備ケース１０は、ケース本体１２と、ケース本体１２によって回転可能に受容される移動可能カートリッジ整備部材（例えば、さねはぎのような摺動可能接続部３４等；図１参照）とを含む。ケース本体１２は、複数部品であってもよく、又は中に形成されるポケット１４を伴う単一構造体であってもよい。移動可能カートリッジ整備部材２０は、ケース本体１２（図１）の外縁３６のまわりをケース本体１２に対して回転可能であり、又は別の方法で移動可能である。ケース本体１２は、移動可能カートリッジ整備部材２０が回転する間、ユーザの手が実質的に静止した状態で保持されるように構成されてもよい。そのため、ケース本体及び移動可能カートリッジ整備部材２０のいずれか一方又は両方は、ユーザが更に容易に把持することができる把持可能特徴部を有してもよい。
【００１３】
移動可能カートリッジ整備部材２０は、ワイピング要素２２及びキャッピング要素２４を含む。ワイピング要素２２及びキャッピング要素２４がケース本体１２の外縁３６に沿って位置付けられる特定の配置に例示される一方で、例えば、流体ジェットカートリッジの組成物の種類、ケース本体の形状、及び所望の最終用途に応じて、他の配置が可能になる。また、ワイピング要素２２及びキャッピング要素２４の両方がそれぞれ示されるが、ワイピング要素２２及びキャッピング要素２４の一方だけが設けられてもよいことを留意されたい。更には、ワイピング要素２２及びキャッピング要素２４の複数のものが含まれてもよい。
【００１４】
流体（例えば、スキンケア組成物又は他の組成物）は、流体ジェットカートリッジ１６の通常使用中に流体ジェットカートリッジ１６のノズル１８の周囲に集まることができる。いくつかの場合、流体はノズル１８の周囲で乾燥することがあり、これが閉塞の問題が生じさせ、ひいては、ノズル１８の有効性を下げる。更には、流体ジェットカートリッジ１６の他のエリアに流体及び汚染物が集まり得る。そのため、流体ジェットカートリッジ１６は、ワイピング要素２２を使用してノズル１８を拭くことによって、整備動作中に整備されることができる。ワイピング要素２２の厚さは、ノズル１８と接触するように選択されることができる。
【００１５】
ワイピング要素２２は、任意の好適な材料又は材料の組み合わせを使用して形成されてもよい。好適な材料には、織物、不織布、樹脂、エラストマー、発泡体、若しくは他のいくつかの材料、又は材料の組み合わせ等の、乾燥材料及び／又はウェットタイプ材料が挙げられる。
【００１６】
図５を参照すると、カートリッジ整備ケース１０の動作が説明される。最初に、ステップ５０において、移動可能カートリッジ整備部材２０は、ロック洗浄構成（図１）からロック解除開放構成（図３）に移動され得る。ステップ５２において、ロック解除開放構成に移動可能カートリッジ整備部材２０を移動させることで、ポケット１４を露出させ、ポケット１４内部に流体ジェットカートリッジ１６を設置することを可能にし得る。いくつかの実施形態では、ポケット１４及び流体ジェットカートリッジ１６は協働するように成形され、ノズル１８をケース本体１２内の開口５４（図２及び図３）を通してワイピング要素２２及びキャッピング要素２４（図２）に露出させる１つのみ又は一定の所望の向きに、ポケット１４内部に流体ジェットカートリッジ１６を設置することを可能にする。ステップ５６において、ケース本体１２を片手で保持し、ユーザは、ケース本体１２に対して移動可能カートリッジ整備部材２０をロック洗浄構成に向かって回転させてもよい。その過程において、ケース本体１２（及び流体ジェットカートリッジ１６）に対して移動可能カートリッジ整備部材２０を移動させることで、ノズル１８の近くでワイピング要素２２を動かし、ノズル１８を拭かせる。いくつかの実施形態では、移動可能カートリッジ整備部材２０は、ロック洗浄構成に繰り返し移動してもよい。ステップ６０において、いったんロック洗浄構成になると、キャッピング要素２４がノズル１８と整列することによって、ノズル１８を覆ってキャップすることができる。そのため、キャッピング要素２４は、未使用時にノズル１８の加湿を維持するための任意の好適な材料（独立気泡若しくは連続気泡の発泡体、樹脂、エラストマー、又は材料の組み合わせ等）で形成されてもよい。ステップ６２において、流体ジェットカートリッジ１６にアクセスするために、ユーザは、移動可能カートリッジ整備部材２０をロック解除開放構成に移動させてもよく、流体ジェットカートリッジ１６をポケット１４から取り外すことが可能となる。移動可能カートリッジ整備部材２０の移動により、ノズル１８のキャップが外れ、また、ワイピング要素２２を使用する別の拭き手順を提供することもできる。
【００１７】
円盤状カートリッジ整備ケース１０が上記に例示されるが、他の配置が可能である。図６及び図７を参照すると、別のカートリッジ整備ケース７０は、ケース本体７４に対して移動することができる移動可能カートリッジ整備部材７２を含む。本例では、移動可能カートリッジ整備部材７２は、ロック解除開放構成（図６）とロック洗浄構成（図７）との間を直線的に移動し、図２及び図３を参照して上記に説明されたもの等のワイピング要素及びキャッピング要素を使用して、流体ジェットカートリッジ１６のノズルを拭いてキャップする。
【００１８】
ここで図８及び図９を参照すると、カートリッジ整備ケース８０の別の実施形態は、ケース本体８４に対して移動することができる移動可能カートリッジ整備部材８２を含む。本実施形態では、移動可能カートリッジ整備部材８２は、ロック解除構成（図８）とロック洗浄構成（図９）との間を直線的に移動する。ドア８６は、開放構成と閉鎖構成との間を移動することができるケース本体８４にヒンジ式に取り付けられてもよい。移動可能カートリッジ整備部材８２は、ロック解除開放構成からロック構成に移動することができ、図２及び図３を参照して上記に説明されたもの等のワイピング要素及びキャッピング要素を使用して、流体ジェットカートリッジ１６のノズルを拭いてキャップし、また、その閉鎖構成でドア８６をロックすることができる。
【００１９】
図１０及び図１１を参照すると、カートリッジ整備ケース９０の別の実施形態は、図１１によって示されるようにやや球状であり、直立固定位置でカートリッジ整備ケース９０を支持するための比較的平らな支持底面９２を有する。カートリッジ整備ケース９０は、ケース本体９６に対して移動することができる移動可能カートリッジ整備部材９４を含む。本例では、移動可能カートリッジ整備部材９４は、ロック解除開放構成（図１０）とロック洗浄構成（図１１）との間を回転し、図２及び図３を参照して上記に説明されたもの等のワイピング要素及びキャッピング要素を使用して、流体ジェットカートリッジ１６のノズルを拭いてキャップする。ねじ山接続部９８を設けて、移動可能カートリッジ整備部材９４をケース本体９６にロックしたり、ケース本体９６に対する移動可能カートリッジ整備部材９４の回転を生じさせたりしてもよい。
【００２０】
図１２及び図１３は、ロック解除開放構成（図１２）とロック洗浄構成（図１３）との間を回転し、図２及び図３を参照して上記に説明されたもの等のワイピング要素及びキャッピング要素を使用して、流体ジェットカートリッジ１６のノズルを拭いてキャップする、移動可能カートリッジ整備部材１０２を含む瓶形状であるカートリッジ整備ケース１００の類似の実施形態を例示する。
【００２１】
図１４及び図１５は、ロック解除開放構成（図１４）とロック洗浄構成（図１５）との間を回転し、図２及び図３を参照して上記に説明されたもの等のワイピング要素及びキャッピング要素を使用して、流体ジェットカートリッジ１６のノズルを拭いてキャップする、移動可能カートリッジ整備部材１０２を含む楔形状であるカートリッジ整備ケース１１０の別の実施形態を例示する。本実施形態では、移動可能カートリッジ整備部材１０２は、旋回軸位置１０６を介して、ケース本体１０４に対して回転する。
【００２２】
図１６は、ケース本体１２４に対してロック解除開放構成とロック洗浄構成との間を移動し、図２を参照して上記に説明されたもの等のワイピング要素及びキャッピング要素を使用して、流体ジェットカートリッジ１６のノズルを拭いてキャップする、プランジャの形態で移動可能カートリッジ整備部材１２２を含むカートリッジ整備ケース１２０の別の実施形態を例示する。
【００２３】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば、「４０ｍｍ」として開示される寸法は、「約４０ｍｍ」を意味するものとする。
【００２４】
相互参照される又は関連する特許又は出願等の、本願に引用される全ての文書は、明示的に除外される、又は別途限定されない限り、参照によりその全体が本願に援用される。いかなる文献の引用も、それが開示される任意の実施形態に関する先行技術であること、又はそれが任意の他の参照（単数又は複数）との任意の組み合わせで任意のこのような実施形態を教示、提案、若しくは開示することを認めるものではない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００２５】
特定の実施形態について説明及び記載したが、特許請求の範囲の趣旨及び範囲から逸脱することなく種々の他の変更及び修正が可能であることは、当業者には明らかであろう。したがって、本明細書の範囲内に含まれるかかる全ての変更及び修正は、添付の特許請求の範囲にて網羅することを意図したものである。
【図１】
0006703107.tif 000002
【図２】
0006703107.tif 000003
【図３】
0006703107.tif 000004
【図４】
0006703107.tif 000005
【図５】
0006703107.tif 000006
【図６】
0006703107.tif 000007
【図７】
0006703107.tif 000008
【図８】
0006703107.tif 000009
【図９】
0006703107.tif 000010
【図１０】
0006703107.tif 000011
【図１１】
0006703107.tif 000012
【図１２】
0006703107.tif 000013
【図１３】
0006703107.tif 000014
【図１４】
0006703107.tif 000015
【図１５】
0006703107.tif 000016
【図１６】
0006703107.tif 000017